(57)【特許請求の範囲】
【請求項１】
本体と、二つの磁気吸着ユニットと、から構成される工具用着磁器において、
前記本体は、第１ケースと、第２ケースと、二つの連接板と、を備え、前記第１ケースと前記第２ケースとは、互いに対称するように設けられ、前記第１ケースと前記第２ケースとの両端には、スライド溝がそれぞれ設けられており、前記第１ケースと前記第２ケースとの前記スライド溝には、前記連接板の方向に沿う自在区が設けられており、前記第１ケースと前記第２ケースとの中央に取付溝が設けられており、二つの前記磁気吸着ユニットは前記取付溝に組付けられており、二つの前記連接板はほぼエ字形を呈し、二つの前記連接板の上端と下端とは、前記第１ケースと前記第２ケースとに設けられている前記スライド溝にそれぞれ嵌め込まれており、これらの前記連接板により、前記第１ケースと前記第２ケースとが組付けられて前記本体を形成し、前記本体には、ネジドライバーを収容する結合穴が形成されており、
二つの前記磁気吸着ユニットは、それぞれ前記取付溝に取り付けられており、二つの前記磁気吸着ユニットの対向面の磁気の極性は同じであり、前記結合穴にネジドライバーが組付けられていないときには、二つの前記磁気吸着ユニットが互いに排他的であり、前記自在区により前記第１ケースと前記第２ケースとが互に離れ、前記結合穴にネジドライバーが組付けられているときには、二つの前記磁気吸着ユニットが前記ネジドライバーの表面に吸着され、前記自在区により、前記第１ケースは前記第２ケースへ移動して、前記本体が前記ネジドライバーに密着することを特徴とする工具用着磁器。
【請求項２】
前記第１ケースと前記第２ケースとの前記スライド溝に止め壁が設けられており、前記止め壁の一端に対向するように閉じ蓋が組付けられており、前記閉じ蓋により、二つの前記連接板と二つの前記磁気吸着ユニットとは、前記本体から離脱不能となることを特徴とする、請求項１に記載の工具用着磁器。
【請求項３】
前記第１ケースと前記第２ケースとには、更に、互いに噛み合い可能な歯部が設けられていることを特徴とする、請求項１に記載の工具用着磁器。
【請求項４】
前記本体の前記結合穴の移動可能範囲は、４〜７ｍｍ程度であることを特徴とする、請求項１に記載の工具用着磁器。
【発明の詳細な説明】
【技術分野】
【０００１】
本発明は、手工具用の着磁機器に関し、特に、手工具用着磁器に関するものである。
【背景技術】
【０００２】
ネジドライバーは、日常によく見られる手工具の一つであり、ユーザーの操作を便利にするために、ネジドライバーに着磁器を組付けることが一般的である。これにより、ネジドライバーは、ネジなどを吸着することが可能となる。
【０００３】
例えばＰＣＢプリント回路基板のような製品に、例えば、グラフィックスカード、ＣＰＵや放熱ファンなどの装置を組付けるために、着磁器により手工具を着磁しないと、ドライバーヘッドがネジを吸着することができない。ネジドライバーにより、プリント回路基板にネジをねじ込むときには、プリント回路基板の構成が極めて精密なため、従来のネジドライバーを利用すると、ユーザーの視線がハンドルに遮蔽される。このため、ユーザーは、前記着磁器を握ってネジドライバーを回転することがある。
【０００４】
プリント回路基板にねじ込まれるネジの寸法は多いため、両種以上のネジドライバーを用意しないと、ねじ込む作業を行うことができない。このため、ある業者は、図１から図３に示す着磁器を開発した。このような着磁器は、同じ極性を有する磁石が互いに排他的であり、異なる極性を有する磁石が互いに吸引する原理を利用する。本体１１には、互いに対称する二つの溝１２が設けられている。二つの溝１２は、移動可能距離を有する。各溝１２に磁石１３が組付けられている。二つの磁石１３は、図２に示すように、同じ極性で対向して、二つの磁石１３が前記移動可能距離の第１位置Ａ１に位置する。ネジドライバーを入れた後、図３に示すように、二つの磁石１３は、磁石１３の磁気による吸着力により、第２位置Ａ２に移動してネジドライバーに吸着して、前記ネジドライバーを着磁させる。
【０００５】
このような設計の概念により、磁石１３を移動してネジドライバーを着磁させることが可能であるが、実際の使用において、本体１１の結合穴の寸法に合うネジドライバーであれば、別に問題はないが、ネジドライバーの寸法がより小さい場合には、磁石１３がネジドライバーの表面に吸着するだけであるため、着磁器を回転すると、磁石が滑ってアイドリングしやすい問題があった。
【発明の概要】
【発明が解決しようとする課題】
【０００６】
本発明の主な目的は、着磁器の設置を改良して、本体が手工具の直径に応じて挟み距離を変化することができ、ねじ込み作業をスムーズに行うことが可能な手工具用着磁器を提供することにある。
【課題を解決するための手段】
【０００７】
本発明に係る手工具用着磁器によると、本体と、二つの磁気吸着ユニットと、から構成される工具用着磁器において、
本体は、第１ケースと、第２ケースと、二つの連接板と、を備え、第１ケースと第２ケースとは、互いに対称するように設けられ、第１ケースと第２ケースとの両端には、スライド溝がそれぞれ設けられており、第１ケースと第２ケースとのスライド溝には、連接板の方向に沿う自在区が設けられており、第１ケースと第２ケースとの中央に取付溝が設けられており、二つの磁気吸着ユニットは取付溝に組付けられており、二つの連接板はほぼエ字形を呈し、二つの連接板の上端と下端とは、第１ケースと第２ケースとに設けられているスライド溝にそれぞれ嵌め込まれており、これらの連接板により、第１ケースと第２ケースとが組付けられて本体を形成し、本体には、ネジドライバーを収容する結合穴が形成されており、
二つの磁気吸着ユニットは、それぞれ取付溝に取り付けられており、二つの磁気吸着ユニットの対向面の磁気の極性は同じであり、結合穴にネジドライバーが組付けられていないときには、二つの磁気吸着ユニットが互いに排他的であり、自在区により第１ケースと第２ケースとが互に離れ、結合穴にネジドライバーが組付けられているときには、二つの磁気吸着ユニットがネジドライバーの表面に吸着され、自在区により、第１ケースは第２ケースへ移動して、本体がネジドライバーに密着することを特徴とする。
【０００８】
本発明に係る手工具用着磁器によると、第１ケースと第２ケースとのスライド溝に止め壁が設けられており、止め壁の一端に閉じ蓋が組付けられており、閉じ蓋により、二つの連接板と二つの磁気吸着ユニットとは、本体から離脱不能となることを特徴とする。
【０００９】
本発明に係る手工具用着磁器によると、第１ケースと第２ケースとには、更に、互いに噛み合い可能な歯部が設けられていることを特徴とする。
【００１０】
本発明に係る手工具用着磁器によると、本体の結合穴の移動可能範囲は、４〜７ｍｍ程度であることを特徴とする。
【発明の効果】
【００１１】
本発明に係る手工具用着磁器によれば、次のような効果がある。
（１）本発明に係る本体は、ネジドライバーまたは手工具の大きさに応じて吸着距離を変化することができ、ひいてはユーザーは、本体を回転しながら、ねじ込み作業を行うことができる。
【００１２】
（２）本体は、吸着ユニットを介してネジドライバーの表面に密着するため、回転するときにアイドリングすることはない。
【００１３】
（３）本体は、距離が可変なため、従来のもののように、吸着ユニットに干渉されて、ねじ込み作業を行うことができないことはない。
【図面の簡単な説明】
【００１４】
【図１】従来の構成を示す斜視図である。
【図２】従来の構成の使用されていない状態を示す構成図である。
【図３】従来の構成の使用されている状態を示す構成図である。
【図４】本発明の構成を示す斜視図である。
【図５】本発明の使用されていない状態を示す構成図である。
【図６】本発明の使用されている状態を示す構成図（一）である。
【図７】本発明の使用されている状態を示す構成図（二）である。
【発明を実施するための形態】
【００１５】
以下、本発明の実施の形態を図面に基づいて説明する。
【００１６】
図４から図７を参照する。本発明に係る手工具用着磁器は、本体２０と、二つの磁気吸着ユニット３０と、二つの閉じ蓋４０と、を備える。
【００１７】
本体２０は、図４から図７に示すように、距離が可変な構成を有する。本体２０は、第１ケース２１と、第２ケース２２と、二つの連接板２３と、を備える。第１ケース２１と第２ケース２２とは、互いに対称するように設けられている。第１ケース２１と第２ケース２２との両端には、スライド溝２１１，２２１が設けられている。スライド溝２１１，２２１に止め壁２１２，２２２がそれぞれ設けられている。第１ケース２１と第２ケース２２とのスライド溝２１１，２２１には、連接板２３の方向に沿う自在区２１３，２２３がそれぞれ設けられている。第１ケース２１と第２ケース２２との中央に取付溝２１４，２２４がそれぞれ設けられている。二つの磁気吸着ユニット３０は、それぞれ取付溝２１４，２２４に組付けられている。
【００１８】
次に、図４から図７を参照する。二つの連接板２３は、ほぼエ字形を呈する。二つの連接板２３の上端と下端とは、それぞれ第１ケース２１と第２ケース２２とに設けられているスライド溝２１１，２２１に嵌め込まれている。これらの連接板２３により、第１ケース２１と第２ケース２２とは組付けられて本体２０を形成し、本体２０には、ネジドライバーＳを収容する結合穴２４が形成される。
【００１９】
二つの磁気吸着ユニット３０は、図４から図７に示すように、それぞれ取付溝２１４，２２４に取り付けられている。二つの磁気吸着ユニット３０の互いに対向する面の磁気の極性は同じである。ネジドライバーＳが結合穴２４に組付けられていないときには、二つの磁気吸着ユニット３０が互いに排他的である。自在区２１３，２２３により、第１ケース２１と第２ケース２２とは互いに離れるようになる。ネジドライバーＳが結合穴２４に組付けられたと、二つの磁気吸着ユニット３０はネジドライバーＳの表面に吸着されて、自在区２１３により、第１ケース２１が第２ケース２２へ移動して、本体２０がネジドライバーＳに密着する。
【００２０】
図４に示すように、二つの閉じ蓋４０は止め壁２１２、２２２の一端に対向することにより、二つの連接板２３と二つの磁気吸着ユニット３０とは本体２０から離脱不能となる。
【００２１】
図４に示すように、第１ケース２１と第２ケース２２とには、更に、互いに噛み合い可能な歯部２１５，２２５が設けられている。歯部２１５，２２５により、第１ケース２１と第２ケース２２との結合性を増加することができ、本体２０を旋回することが容易となる。
【００２２】
次に、本発明に係る手工具用着磁器の使用方法および効果を説明する。
【００２３】
（１）基本的には、ネジドライバーＳの直径はほぼ４〜７ｍｍ程度である。本発明に挙げられる手工具の実施例は、よく見られるネジドライバーＳであるが、特殊な仕様を有する手工具である場合に、本発明に提案した技術を適当に変化すると、本発明の効果を得ることが可能である。
【００２４】
（２）図６に示すように、ネジドライバーＳの直径は６.２ｍｍである。本体２０の結合穴２４にネジドライバーＳを差し込んだ後、第１ケース２１と第２ケース２２とは、磁気吸着ユニット３０の磁気による吸着力により、自在区２１３，２２３を介してネジドライバーＳの表面へ移動して、ネジドライバーＳの表面に密着する。これにより、ネジドライバーＳが着磁されて、例えばネジなどを吸着することができ、ユーザーは、手で本体２０を握ってネジを回転することができる。
【００２５】
（３）図７に示すように、ネジドライバーの直径は４ｍｍである。本体２０の結合穴２４にネジドライバーＳを差し込んだ後、第１ケース２１と第２ケース２２とは、磁気吸着ユニット３０の磁気による吸着力により、自在区２１３、２２３を介してネジドライバーＳの表面へ移動して、歯部２１５，２２５により、第１ケース２１と第２ケース２２とは密着する。本体２０の連接距離が変化可能なため、本体２０はネジドライバーＳの表面に密着して、ネジドライバーＳに磁気による吸着力を与えると同時に、本体２０の体積が縮小するため、干渉を防止することができ、ねじ込み作業を行うときに、アイドリングの発生を防止することが可能である。
【００２６】
このように、本発明の特定の例を参照して説明したが、それらの例は、説明のためだけのものであり、本発明を限定するものではなく、この分野に通常の知識を有する者には、本発明の要旨および特許請求の範囲を逸脱することなく、ここで開示された実施例に変更、追加、または、削除を施してもよいことがわかる。
【符号の説明】
【００２７】
１１  本体
１２  溝
１３  磁石
２０  本体
２１  第１ケース
２２  第２ケース
２３  連接板
２４  結合穴
３０  磁気吸着ユニット
４０  閉じ蓋
２１１  スライド溝
２１２  止め壁
２１３  自在区
２１４  取付溝
２１５  歯部
２２１  スライド溝
２２２  止め壁
２２３  自在区
２２４  取付溝
２２５  歯部
Ａ１  第１位置
Ａ２  第２位置
Ｓ  ネジドライバー
【要約】
【課題】着磁器の設置を改良して、本体が手工具の直径に応じて挟み距離を変化することができ、ねじ込み作業をスムーズに行うことが可能な手工具用着磁器を提供する。
【解決手段】本体と、二つの磁気吸着ユニットと、から構成される工具用着磁器において、本体は、第１ケースと、第２ケースと、二つの連接板と、を備え、第１ケースと第２ケースとは、互いに対称するように設けられ、第１ケースと第２ケースとの両端には、スライド溝がそれぞれ設けられており、第１ケースと第２ケースとの中央に取付溝が設けられており、本体には、ネジドライバーを収容する結合穴が形成されており、二つの磁気吸着ユニットは、それぞれ取付溝に取り付けられており、二つの磁気吸着ユニットの対向面の磁気の極性は同じであり、自在区により、第１ケースは第２ケースへ移動して、本体がネジドライバーに密着する。
【選択図】図５【図１】
0006931104.tif 000002
【図２】
0006931104.tif 000003
【図３】
0006931104.tif 000004
【図４】
0006931104.tif 000005
【図５】
0006931104.tif 000006
【図６】
0006931104.tif 000007
【図７】
0006931104.tif 000008